(57)【要約】      （修正有）【課題】軒樋の梱包にあたって、別途緩衝材を必要とすることなく、軒樋同士を接続する際に使用する軒樋継手を有効に利用できる軒樋の梱包構造を提供する。【解決手段】  軒樋継手２の両側片３、４間に接続片５を一体に架設すると共に接続片５に係止部６を設ける。軒樋継手２を軒樋１の長手方向の任意の位置に嵌め込んで取付けた軒樋・軒樋継手セットを構成する。一組の軒樋・軒樋継手セットにおける軒樋１の上開口８に、他の一組の軒樋・軒樋継手セットの上開口８が対向するように他の一組の軒樋・軒樋継手セットを上下反転させて二組の軒樋・軒樋継手セットを嵌め合わせると共に、対向する各組の軒樋・軒樋継手セットにおける軒樋継手２の係止部６に梱包用連結部材９の両端部を着脱自在に係止して二組の軒樋・軒樋継手セットを連結する。【選択図】図１
2008007134.tif 000002
【特許請求の範囲】
【請求項１】
軒樋同士を接続する際に隣合う軒樋の端部同士の内周面にわたって嵌め込んで軒樋同士を接続するための軒樋継手の両側片間に接続片を一体に架設すると共に接続片に係止部を設け、上記軒樋継手と軒樋とのセットを梱包するに際し、軒樋継手を軒樋の長手方向の任意の位置に嵌め込んで取付けた軒樋・軒樋継手セットを構成し、一組の軒樋・軒樋継手セットにおける軒樋の上開口に、他の一組の軒樋・軒樋継手セットの上開口が対向するように他の一組の軒樋・軒樋継手セットを上下反転させて二組の軒樋・軒樋継手セットを嵌め合わせると共に、対向する各組の軒樋・軒樋継手セットにおける軒樋継手の係止部に梱包用連結部材の両端部を着脱自在に係止して二組の軒樋・軒樋継手セットを連結して成ることを特徴とする軒樋の梱包構造。
【発明の詳細な説明】
【技術分野】
【０００１】
本発明は、軒樋の梱包構造に関するものである。
【背景技術】
【０００２】
従来から複数の軒樋をその上開口同士が対向するように位置させて嵌め合わせることで梱包する技術が特許文献１や特許文献２により知られている。
【０００３】
特許文献１に示される従来例は、断面略Ｕ字状をした軒樋の上開口に別の軒樋の上開口が対向するように別の軒樋を上下反転させて両軒樋を嵌め合わせた状態で筒状梱包材内に入れ、筒状梱包材の端部を閉塞するための蓋板に突起を突設し、該突起を軒樋の耳部の端部に嵌め込むことで、軒樋同士が動かないようにしている。
【０００４】
また、特許文献２に示される従来例にあっては、断面略Ｕ字状をした４つの軒樋を巴状に嵌め合わせ、断面卍状をした仕切り板の各端部片を４つの軒樋の一側片に沿わせて係止することで４つの軒樋の各耳部が互いに接触しないようにし、上記巴状に嵌め合わせた状態の４つの軒樋を筒状梱包材内に入れ、筒状梱包材の端部を閉塞するための蓋板に突起を突設し、該突起を４つの軒樋の各１つの耳部の端部に嵌め込むことで、軒樋同士が動かないようにしている。
【０００５】
ところが、上記前者の従来例においては、軒樋同士が動かないようにするには蓋板に設けた突起を軒樋の耳部の端部に嵌め込むことにより行っており、蓋板に突起を設ける必要があり、更に、蓋板で筒状梱包材の端部を閉じる際に４つの突起を２つの軒樋の両耳部の端部に嵌め込む作業が必要であり、この作業がかなり難しい作業となり、突起が耳部にはめ込まれないまま蓋板で閉じてしまい、結局、軒樋同士が相互に動き合って傷が付くという問題がある。
【０００６】
また、後者の従来例にあっては、４つの軒樋の断面卍状をした仕切り板の各端部片を４つの軒樋の一側片に沿わせて係止しているが、４つの軒樋の他側片はフリーであって、該フリーとなった他側片が他の軒樋に当って傷を付けるという問題がある。このため、この従来例においても、筒状梱包材の端部を閉塞するための蓋板に突起を突設し、該突起を４つの軒樋の各１つの耳部の端部に嵌め込むことで、軒樋同士が動かないようにしているが、蓋板で筒状梱包材の端部を閉じる際に４つの突起を４つの軒樋の各１つの耳部の端部に嵌め込む作業が必要であり、この作業がかなり難しい作業となり、突起が耳部にはめ込まれないまま蓋板で閉じてしまい、結局、軒樋同士が相互に動き合って傷が付くという問題がある。しかも、この従来例においては、十字状をした特別な形状をした仕切り板を必要とするという問題がある。
【０００７】
また、上記いずれの従来例にあっても軒樋を梱包して保管、搬送している間に軒樋の両側片間が広がったり、狭まったりするというような変形が生じる恐れがあり、更に、上記いずれの従来例にあっても、軒樋同士を接続するための軒樋継手は軒樋とは別に梱包しており、このため、梱包物が増え、更に、軒樋継手が紛失しやすいという問題がある。
【特許文献１】特開平７−２５１８８６号公報
【特許文献２】特開平７−２５１８８７号公報
【発明の開示】
【発明が解決しようとする課題】
【０００８】
本発明は上記の従来の問題点に鑑みて発明したものであって、軒樋の梱包に当って、別途緩衝材を必要とすることなく軒樋同士を接続する際に使用する軒樋継手を有効に利用して、簡単且つ確実に二つの軒樋同士が動かないように接続することができ、梱包が簡単にでき、また、軒樋継手を同時に梱包できて軒樋継手の紛失を防止し、更に、軒樋の両側片間が梱包して保管、搬送している間に広がったり、狭まったりするというような変形を防止することができる軒樋の梱包構造を提供することを課題とするものである。
【課題を解決するための手段】
【０００９】
上記課題を解決するために本発明に係る軒樋の梱包構造は、軒樋１同士を接続する際に隣合う軒樋１の端部同士の内周面にわたって嵌め込んで軒樋１同士を接続するための軒樋継手２の両側片３、４間に接続片５を一体に架設すると共に接続片５に係止部６を設け、上記軒樋継手２と軒樋とのセットを梱包するに際し、軒樋継手２を軒樋１の長手方向の任意の位置に嵌め込んで取付けた軒樋・軒樋継手セット７を構成し、一組の軒樋・軒樋継手セット７における軒樋１の上開口８に、他の一組の軒樋・軒樋継手セット７の上開口８が対向するように他の一組の軒樋・軒樋継手セット７を上下反転させて二組の軒樋・軒樋継手セット７を嵌め合わせると共に、対向する各組の軒樋・軒樋継手セット７における軒樋継手２の係止部６に梱包用連結部材９の両端部を着脱自在に係止して二組の軒樋・軒樋継手セット７を連結して成ることを特徴とするものである。
【００１０】
このように、一組の軒樋・軒樋継手セット７における軒樋１の上開口８に、他の一組の軒樋・軒樋継手セット７の上開口８が対向するように二組の軒樋・軒樋継手セット７を嵌め合わせ、対向する各組の軒樋・軒樋継手セット７における軒樋継手２の係止部６に梱包用連結部材９の両端部を着脱自在に係止して二組の軒樋・軒樋継手セット７を連結するので、軒樋１同士を接続する際に使用する軒樋継手２を利用して梱包用連結部材９により軒樋継手２同士を連結するだけで、二組の軒樋・軒樋継手セット７が互いに動かないように連結することができ、また、軒樋継手２を軒樋１といっしょに梱包するので、軒樋継手２を軒樋１と別途梱包する場合に比べて梱包個数が少なく、紛失したりするおそれがない。また、両側片３、４間に接続片５を一体に架した軒樋継手２を軒樋継手２と軒樋とのセットを梱包するに際し、軒樋継手２を軒樋１の長手方向の任意の位置に嵌め込むので、梱包状態において接続片５により軒樋継手２の両側片３、４を介して軒樋１の両側片１０、１１間が開いたり、狭まったりするのが防止できる。
【発明の効果】
【００１１】
本発明は、上記のように構成したので、軒樋の梱包に当って、軒樋同士を接続する際に使用する軒樋継手を有効に利用して、簡単且つ確実に二つの軒樋同士が動かないように接続することができ、この場合、別途緩衝材を必要とすることないので、部材点数が少なくなり、梱包構造が簡略化するという効果があり、また、軒樋と共に軒樋継手を梱包できるので軒樋継手が紛失するのを防止し、更に、接続片により軒樋継手及び軒樋の両側片間が梱包して保管、搬送している間に広がったり、狭まったりするのを防止でき、この結果、緩衝材を用いない簡単な構成で変形及び傷付きを防止できる梱包が可能となる。
【発明を実施するための最良の形態】
【００１２】
以下、本発明を添付図面に示す実施形態に基いて説明する。
【００１３】
軒樋１は断面略Ｕ字状をした長尺の樋であり、両側片１０、１１の各上端部には耳部１２、１３が設けてある。添付図面に示す実施形態においては、両側片１０、１１のうち外側の側片１０が内側の側片１１よりも上方への突出長さが長くなっている。
【００１４】
軒樋継手２は長尺の軒樋１同士を接続する際に隣合う軒樋１の端部同士の内周面にわたって嵌め込んで軒樋１同士を接続するためのものであり、この軒樋継手２は外周面の形状は軒樋１の内周面の形状とほぼ同じ形状をしており、両側片３、４の各上端部には継手耳部１４、１５が設けてあり、この継手耳部１４、１５はそれぞれ軒樋１の上記両耳部１２、１３にそれぞれ係合自在な形状をしている。また、添付図面に示す実施形態においては、両側片３、４のうち外側の側片３が内側の側片４よりも上方への突出長さが長くなっている。両側片３、４間には接続片５が一体に架設してあり、接続片５には接続用開口部１６が形成してあって該接続用開口部１６が係止部６となっている。
【００１５】
軒樋１の梱包に当っては、軒樋１の長手方向の任意の位置の内周部に軒樋継手２を嵌め込んで軒樋継手２の両継手耳部１４、１５をそれぞれ軒樋１の両耳部１２、１３に係合することで取付けて一組の軒樋・軒樋継手セット７を構成する。この場合、１つの軒樋１の長手方向の２箇所に２つの軒樋継手２を嵌め込んで取付けるのが好ましい。
【００１６】
上記一組の軒樋・軒樋継手セット７における軒樋１の上開口８に、他の一組の軒樋・軒樋継手セット７の上開口８が対向するように他の一組の軒樋・軒樋継手セット７を上下反転させて図１、図２に示すように二組の軒樋・軒樋継手セット７を嵌め合わせる（すなわち、一方の軒樋１の外側の側片１０の内側に他方の軒樋１の内側の側片１１が位置し、他方の軒樋１の外側の側片１０の内側に一方の軒樋１の内側の側片１１が位置するように嵌め合わせる）と共に、対向する各組の軒樋・軒樋継手セット７における軒樋継手２の係止部６にダンボール製や発泡合成樹脂製の筒状又は棒状をした梱包用連結部材９の両端部を着脱自在に嵌め込むことで係止して二組の軒樋・軒樋継手セット７を上下に嵌め合わせた上体で連結する。このように連結された二組の軒樋・軒樋継手セット７は、軒樋１同士を接続する際に使用する軒樋継手２を有効に利用して梱包用連結部材９により軒樋継手２同士を連結するだけで、二組の軒樋・軒樋継手セット７が互いに動かないように連結することができることになり、これを直接梱包紙で包んで梱包したり、あるいは、筒状をした梱包材内に入れて梱包したりする際、軒樋１同士が相互に移動して擦れ合わないようにするために別途緩衝材を介在させたりする必要がなく、梱包に要する部材点数を少なくして傷付きを防止できることになる。また、軒樋継手２を軒樋１といっしょに梱包できるので、軒樋継手２を軒樋１と別途梱包する場合に比べて梱包個数が少なく、紛失したりするおそれがない。
【００１７】
また、軒樋継手２の両側片３、４間に接続片５を一体に架し、この接続片５を有する軒樋継手２を軒樋１の長手方向の任意の位置に嵌め込んだ状態で梱包するので、梱包状態において接続片５により軒樋継手２の両側片３、４を介して軒樋１の両側片１０、１１間が開いたり、狭まったりするのが防止でき、梱包して保管、搬送する際に、軒樋１の側片１０、１１同士が広がったり、狭まったりするという変形が生じないものであって、梱包して保管、搬送中に軒樋１、軒樋継手２の変形を防止して正確に保形した状態での保管、搬送が可能となる。
【００１８】
現場に搬送して現場で施工する際には、梱包用連結部材９の両端部を係止部６から外し、また、軒樋継手２を軒樋１から外すか又は長手方向の端部にスライドさせ、該軒樋継手２を用いて軒樋１の長手方向の端部同士を接続する。この際、軒樋継手２の片側半部を一方の軒樋１の長手方向の端部内周面に嵌め込んで両継手耳部１４、１５の片側半部を一方の軒樋１の両耳部１２、１３の長手方向の端部に係止し、軒樋継手２の他の片側半部を他方の軒樋１の長手方向の端部内周面に嵌め込んで両継手耳部１４、１５の他の片側半部を他方の軒樋１の両耳部１２、１３の長手方向の端部に係止することで、両軒樋１の端部同士を接続する。
【図面の簡単な説明】
【００１９】
【図１】本発明の軒樋の梱包構造を示す断面図である。
【図２】同上の斜視図である。
【図３】同上の軒樋継手と梱包用連結部材とを示す分解斜視図である。
【符号の説明】
【００２０】
１  軒樋
２  軒樋継手
３  側片
４  側片
５  接続片
６  係止部
７  軒樋・軒樋継手セット
８  上開口
９  梱包用連結部材
【図１】
2008007134.tif 000003
【図２】
2008007134.tif 000004
【図３】
2008007134.tif 000005